(57)【要約】【課題】下記の特徴を有するノイズ低減ヘッドセットを提供する。【解決手段】一組のイヤーカップを備え、各々はヨークアセンブリ内に取り付けられ、ヨークアセンブリはスロットが形成された平らなばねを封入しているヘッドバンドによって連結され、スロットはイヤーカップ内の電気部品を相互接続している電線を収容している。各イヤーカップはアクティブノイズ低減回路を有し、かつラウドスピーカドライバを有していて、このラウドスピーカドライバはイヤーカップ内の中心から外れた位置に配置されている。イヤーカップのうちの１つは着脱可能なプラグアセンブリを収容していて、このプラグアセンブリはイヤーカップ内に完全に収容されたときにイヤーカップによっておおわれる感度スイッチを有している。もう１つのイヤーカップはバッテリドアを有していて、このバッテリドアはユーザがヘッドセットを着用したときにヨークアセンブリによっておおわれる。【選択図】図１
2005287018.tif 000002
【特許請求の範囲】
【請求項１】
ノイズ低減ヘッドセットにおいて、
一組のイヤーカップを備えていて、各々は、電気部品を有していて、かつヨークアセンブリ内に取り付けられ、前記ヨークアセンブリは、スロットが形成された平らなばねを封入しているヘッドバンドによって機械的に連結され、前記スロットは、ばねの長さだけ延びていて、イヤーカップ内の電気部品を電気的に相互接続している電線を収容していて、
各イヤーカップは、アクティブノイズ低減回路を有していて、
各イヤーカップは、ラウドスピーカドライバを有していて、このラウドスピーカドライバは、イヤーカップ内の中心から外れた位置に配置され、各イヤーカップ内部の空洞に、ラウドスピーカドライバ、マイクロホンおよび電子回路プリント基板、および、バッテリおよびプラグアセンブリのうちの１つを収容可能にし、
前記イヤーカップのうちの１つは、着脱可能に固定されるプラグアセンブリを収容していて、このプラグアセンブリは、プラグアセンブリがイヤーカップ内に完全に収容されたときに、イヤーカップによっておおわれる感度スイッチを有していて、
もう１つのイヤーカップは、バッテリドアを有していて、このバッテリドアは、バッテリの挿抜が可能なように開くことができ、 かつ、バッテリがイヤーカップ内に完全に収容された状態で、ユーザがヘッドホンを着用したときに、ヨークアセンブリによっておおわれる
ことを特徴とするノイズ低減ヘッドセット。
【請求項２】
前記電線を内蔵しているスロットをおおっているプラスチックをさらに備えていることを特徴とする請求項１に記載のノイズ低減ヘッドセット。
【請求項３】
各イヤーカップに取り付けられ、ユーザの耳を取り囲むように構成かつ配置された耳覆いクッションをさらに備えていることを特徴とする請求項１に記載のノイズ低減ヘッドセット。
【請求項４】
電気部品を有する一組のイヤーカップを備えていて、各々は、スロットが形成された平らなばねを封入しているヘッドバンドによって機械的に連結されたヨークアセンブリ内に取り付けられ、前記スロットは、ばねの長さだけ延びていて、イヤーカップ内の電気部品を電気的に相互接続している電線を収容していることを特徴とするヘッドセット。
【請求項５】
一組のイヤーカップを備えていて、
各イヤーカップは、ラウドスピーカドライバを有していて、このラウドスピーカドライバは、イヤーカップ内の中心から外れた位置に配置され、各イヤーカップ内部の空洞に、前記ラウドスピーカドライバ、マイクロホンおよび電子回路プリント基板、および、バッテリおよびプラグアセンブリのうちの１つを収容可能にしていることを特徴とするノイズ低減ヘッドセット。
【請求項６】
前記空洞内部に前記マイクロホンおよび前記電子回路プリント基板をさらに備えていることを特徴とする請求項５に記載のノイズ低減ヘッドセット。
【請求項７】
ヨークアセンブリに取り付けられたイヤーカップを備えているノイズ低減ヘッドセットにおいて、
前記イヤーカップは、バッテリドアを有していて、このバッテリドアは、バッテリの挿抜が可能なように開くことができ、かつ、バッテリがイヤーカップ内に完全に収容された状態で、ユーザがヘッドホンを着用したときに、前記ヨークアセンブリによっておおわれることを特徴とするノイズ低減ヘッドセット。
【発明の詳細な説明】
【技術分野】
【０００１】
本発明は、おおまかには、ヘッドホンに関し、詳細には、アクティブノイズ低減に関して特に有利でありながら、パッシブヘッドホンに役立つ特徴を有している新規なヘッドホンに関する。ヘッドセットは、ヘッドバンドによって相互に連結された一組のヘッドホンである。
【背景技術】
【０００２】
背景技術として、米国特許番号６，５９７，７９２、５，３０５，３８７、５，２０８，２６８、５，１８１，２５２、４，９８９，２７１、４，９２２，５４２、４，６４４，５８１および４，４５５，６７５が参照される。また、市販のボーズQUIET COMFORTヘッドセットおよび市販のQUIET COMFORT 2ヘッドホンも参照される。QUIET COMFORT 2ヘッドホンは、ここで開示する発明を具体化したものであり、ここでの引用により本明細書に組み込まれるものとする。
【特許文献１】米国特許番号６，５９７，７９２
【特許文献２】米国特許番号５，３０５，３８７
【特許文献３】米国特許番号５，２０８，２６８
【特許文献４】米国特許番号５，１８１，２５２
【特許文献５】米国特許番号４，９８９，２７１
【特許文献６】米国特許番号４，９２２，５４２
【特許文献７】米国特許番号４，６４４，５８１
【特許文献８】米国特許番号４，４５５，６７５
【発明の開示】
【課題を解決するための手段】
【０００３】
本発明の態様によれば、アクティブノイズ低減ヘッドセットは、１つのイヤーカップ内に、交換可能なバッテリを有し、もう１つのイヤーカップ内に、スイッチを有する着脱可能に固定可能なプラグと、終端に音源のジャックに差し込むためのプラグを有するオーディオケーブルとを有するように構成かつ配置される。両方のイヤーカップは、アクティブノイズ低減回路を有している。本発明の他の特徴は、電気ケーブルを包含している封入されたヘッドバンドばねであり、前記電気ケーブルは、各イヤーカップ内の電気部品を相互に接続している。本発明のさらに他の特徴は、回路を載せているプリント回路基板に隣接した、イヤーカップの中心から外れたラウドスピーカドライバ（loudspeaker driver）である。本発明のさらに他の特徴は、蝶番で取り付けられたバッテリ出し入れドアであり、このドアは、閉じたとき、通常、回転可能にイヤーカップを支えているヨークアームアセンブリによっておおわれる。
【０００４】
本発明の他の特徴、目的および利点は、以下の詳細な説明を添付の図面と共に読むことによって明らかになるであろう。
【発明を実施するための最良の形態】
【０００５】
以下、図面、特に図１を参照すると、本発明を具体化している市販のボーズQUIET COMFORT 2ヘッドホンの斜視図が示されている。このヘッドホンは、右のイヤーカップ１１および左のイヤーカップ１２を備えていて、これらは、右のヨークアセンブリ１４および左のヨークアセンブリ１５がぶらさがったヘッドバンド１３によって相互に連結されている。右のイヤーカップ１１は、スイッチ１６およびＬＥＤ１７を有していて、ＬＥＤ１７は、スイッチ１６が「オン」位置にあるとき点灯する。右のイヤーカップ１１および左のイヤーカップ１２は、それぞれ、右の耳覆い（circumaural）クッション２１および左の耳覆いクッション２２を有している。
【０００６】
図２を参照すると、ヘッドバンド１３の特徴を示している実体図が示されている。ケーブル２４は、イヤーカップ１１、１２内の電気部品を相互に接続していて、平らなばねの部分２３Ａおよび２３Ｂの間でおおわれている。平らなばねは、締め付け力を供給して、ユーザの耳をおおうようにイヤーカップ１１、１２を保持する。相互に接続された電気部品とは、右のイヤーカップ１１内のスイッチ（図示せず）、電子回路基板（図示せず）およびバッテリ（図示せず）を含んでいてもよい。プラグアセンブリは、左のイヤーカップ１２に連結されることが示されている。同じ参照符号は、複数の図面を通して、対応する構成要素を同定する。
【０００７】
図３を参照すると、右のイヤーカップ１１内で中心から外れて取り付けられたラウドスピーカドライバ３１の特徴を示す実体図が示されている。プリント回路基板３２は、右のイヤーカップ１１内のラウドスピーカドライバ３１の上部に取り付けられている。右のイヤーカップ１１は、オプションとして、プラグアセンブリを有していてもよい。このプラグアセンブリは、着脱可能に固定されるコネクタ３３を有していて、このコネクタ３３には、コード３４がぶら下がっている。このコード３４は、他端に、接続ジャックに差し込むためのミニステレオプラグ（図示せず）を有している。前記接続ジャックは、例えば航空機内の音声チャンネルまたはＣＤプレーヤのようなオーディオ信号源に接続されている。一実施形態において、右のイヤーカップ１１の代わりに、左のイヤーカップ１２（図１）が、ミニステレオプラグを有するコード３４がぶら下がっている、着脱可能に固定されるコネクタ３３を有するプラグアセンブリを有していてもよい。
【０００８】
図４を参照すると、右のイヤーカップ１１の中を通る概略断面図が示されていて、耳および内蔵部品のための空間が形成された、コンパクトなイヤーカップの断面（profile）を示している。右のイヤーカップ１１は、図示したように配置されているラウドスピーカドライバ３１、図示したように配置されているマイクロホン３５、図示したような電子回路プリント基板３２、オプションのプラグアセンブリ（図示せず）およびバッテリ３７を有している。右のイヤーカップ１１は、耳３６を収容するように構成されていて、かつ耳覆いクッション２１を有している。
【０００９】
図５を参照すると、左のイヤーカップ１２の実体図が示されていて、コード３４がぶら下がっている、着脱可能に固定されるコネクタ３３を有する、プラグアセンブリの位置を示している。このプラグアセンブリは、高‐低スイッチ（図示せず）を組み込んでいて、左のイヤーカップ１２に着脱可能に固定され、スイッチの位置を選択するために比較的簡単に取り外すことができる。オーディオソースを接続しないとき、すなわちノイズ低減だけを望むとき、コード３４は取り外すことができるので、ユーザは、図１に示したヘッドホンを着用したまま、コード３４によって妨げられることなく、動きまわることができる。
【００１０】
図６を参照すると、右のイヤーカップ１１および右のヨークアームアセンブリ１４の図が示されていて、バッテリ３７が、どのように、開いた状態にあるバッテリ出し入れドア４１を有する右のイヤーカップ１１内に、取り外し可能に収容されるかを示している。バッテリ３７が完全に挿入されると、バッテリ出し入れドア４１は閉じられ、ヘッドホンがユーザの頭上に置かれ、イヤーカップ１１、１２がユーザの耳を包み込むと、前記バッテリ出し入れドア４１は、右のヨークアームアセンブリ１４によっておおわれる。
【００１１】
図７を参照すると、バッテリ出し入れドア４１が閉じていて、ヨークアームアセンブリ１４によっておおわれた状態の、図６のアセンブリが示されている。
【００１２】
図８を参照すると、着脱可能に固定されるコネクタ３３が取り外された状態の、左のイヤーカップ１２の図が示されていて、低感度のために抵抗を入れ、高感度のために抵抗を外すように切り替える（抵抗は図示していない）感度スイッチ３３Ａが、どのような位置にあるかを示している。また、着脱可能に固定されるコネクタ３３が、左のイヤーカップ１２内に完全に収容されたときに、なめらかに開口部をおおうカバー３３Ｂも示されている。
【００１３】
本発明は、多くの利点を有している。バッテリドアをイヤーカップの上部に配置したので、バッテリが、ヘッドホンを使用中にバッテリドアが開かないようにバッテリドアをおおうヨークが取り付けられたカップから、不注意に落ち難くなっている。締め付け力を供給するための平らなばねは、ばねの幅および重さが小さくされている一方で、所望の締め付け力を供給する。ヘッドバンドばねの長さだけ延びているスロットは、イヤーカップを相互に接続する電線を収容するのに都合がよく、保護プラスチックによっておおうこともできる。イヤーカップは、所望の空洞容積を備えている一方で、比較的小さい断面しか有していない。これは、バッテリおよび減衰器／プラグアセンブリの向きを垂直にして、それらをイヤーカップ内の前方に配置したことによる。これにより、それらは、ユーザの耳介が入ってこない前部空洞内の領域に配置される。ヘッドセットの音量または感度を調節するためのスイッチは、不注意に別の位置に切り替えられてしまう可能性があるのに対して、プラグ／減衰器アセンブリがイヤーカップ内に挿入されると、前記スイッチはおおわれて、ユーザはさわることができなくなる。ラウドスピーカドライバは、イヤーカップの中心から外れていて、カップ内の下部に配置されている（ただし上部を用いてもよい）。ほぼ丸いイヤーカップ内で丸いドライバを用いて、一端または他端にドライバを寄せると、プリント回路基板のために、より多くの空間を割り当てることができる。
【００１４】
当業者が、本発明の概念から逸脱することなく、多数の利用法を作り、ここに記載した具体的な装置および技術を修正し、ここに記載した具体的な装置および技術を発展させることができることは明白である。従って、本発明は、ここで開示された装置および技術の中に存在するか、または、ここで開示された装置および技術が持っている、どの新規な特徴および新規な特徴の組み合わせも包含しているものと解釈されるべきであり、かつ、添付した請求項の精神および範囲のみによって限定されるべきである。
【図面の簡単な説明】
【００１５】
【図１】本発明を具体化している市販のボーズQUIET COMFORT 2ヘッドホンの斜視図である。
【図２】平らなばねの２つの部分の間でおおわれたヘッドバンドケーブルの特徴を示している側面実体図である。
【図３】本発明によるイヤーカップの実体図であり、中心から外れたラウドスピーカドライバの特徴を示している。
【図４】イヤーカップの中を通る概略断面図であり、耳および内蔵部品のための空間を有する、小さいイヤーカップの断面の特徴を示している。
【図５】イヤーカップの実体図であり、隠しスイッチを有するプラグアセンブリの特徴を示している。
【図６】ヘッドバンドのヨークによって保護される上部のバッテリドアの特徴を示す、イヤーカップのヨークアセンブリの実体図であり、バッテリドアが開いた状態を示している。
【図７】ヘッドバンドのヨークによって保護される上部のバッテリドアの特徴を示す、イヤーカップのヨークアセンブリの実体図であり、バッテリドアが閉じた状態を示している。
【図８】イヤーカップから取り外された、スイッチを有するプラグアセンブリを示している実体図である。
【符号の説明】
【００１６】
１１  右のイヤーカップ
１２  左のイヤーカップ
１３  ヘッドバンド
１４  右のヨークアセンブリ
１５  左のヨークアセンブリ
１６  スイッチ
１７  ＬＥＤ
２１  右の耳覆いクッション
２２  左の耳覆いクッション
２３Ａ、２３Ｂ  部分
２４  ケーブル
３１  ラウドスピーカドライバ
３２  電子回路プリント基板
３３  着脱可能に固定されるコネクタ
３３Ａ  感度スイッチ
３３Ｂ  カバー
３４  コード
３５  マイクロホン
３６  耳
３７  バッテリ
４１  バッテリ出し入れドア
【図１】
2005287018.tif 000003
【図２】
2005287018.tif 000004
【図３】
2005287018.tif 000005
【図４】
2005287018.tif 000006
【図５】
2005287018.tif 000007
【図６】
2005287018.tif 000008
【図７】
2005287018.tif 000009
【図８】
2005287018.tif 000010